(57)【要約】      （修正有）【課題】筆記時において筆記具と指にかかる圧力と摩擦による指の皮膚の硬化などの傷害を防止する目的である。【解決手段】筆記具と筆記具を持つ手の指の圧力により、筆記具と筆記具を持つ手の指の間に留めた状態で位置し、概器具により筆記具と筆記具を持つ手の指が接する面積を大きく、且つ筆記具と筆記具を持つ手の指の圧力を分散することが出来る材質及び形状を備えることにより、筆記具を持つ手の指の接触面となる皮膚が硬化などの傷害を阻止することを最も主要な特徴とする。【選択図】図１
2006231726.tif 000002
【特許請求の範囲】
【請求項１】
筆記具と筆記具を持つ手の指の間に器具を留めた状態で筆記具を持ち、概器具と筆記具を持つ手の指が概器具を介して接する面積を拡大することにより、筆記具と筆記具を持つ手の指が干渉する圧力を分散させることを目的として、合成高分子樹脂素材からなり、略板状であることを特徴とする器具。
【請求項２】
請求項１に記載の器具であって、概器具が筆記具に接する側と、指に接する側に種類の異なる素材を積層とする構造を備えることを特徴とする器具。
【請求項３】
請求項１乃至２のいずれかに記載の器具であって、概器具の筆記具に接する側と、指に接する側の素材の略中間部に芯材を備えることを特徴とする器具。
【請求項４】
請求項１乃至３のいずれかに記載の器具であって、概器具の筆記具に接する側の筆記具の接触面に溝状を少なくとも１箇所以上備えることを特徴とする器具。
【請求項５】
請求項１乃至３のいずれかに記載の器具であって、概器具が筆記具に接する側の筆記具の接触面を粗面状にすることを特徴とする器具。
【請求項６】
請求項１乃至３のいずれかに記載の器具であって、概器具が筆記具に接する側の筆記具の接触面に粘着性の加工面を備えることを特徴とする器具。
【発明の詳細な説明】
【技術分野】
【０００１】
本発明は、筆記時において、筆記具を持つ手の指が筆記具を持つ圧力と筆記具と指の干渉による皮膚が硬化する傷害(ペンだこ)を阻止する器具に関するものである。
【背景技術】
【０００２】
ペンだこのような皮膚を硬化させることにより変形した指は、職業上や美的の上でマイナスのイメージである場合が多くあり、従来、筆記具の構造や材質に考慮したもの、及び筆記具及び筆記具を持つ手の指に装着して使用する器具もあった。
【０００３】
しかし、前記器具が装着しえない既存の筆記具が多いという欠点があった。
【０００４】
また、持ち手の指に装着して使用する保護具的な形状と材質の器具もあるが、指サイズの変化に対応できない事、及び使用上に於いての美的感度に欠落したりするなどの問題点と、指の発汗から蒸れるなどの欠点があった。
【０００５】
この改善策として、既存の筆記具であっても使用が可能であり、また指サイズにこだわりも無く、また筆記具の持ち方に限定されず、また使用上の美的感度を失する事のない器具を提供する。
【特許文献１】実開Ｈ６−２４９９２号公報
【特許文献２】特開２００３−３３５０９８号公報
【発明の開示】
【発明が解決しようとする課題】
【０００６】
解決しようとする問題点は、筆記時に於いて筆記具または筆記具の持ち手の指に装着して使用する器具は、筆記具や筆記する人の指のサイズに対応しなければならない、また指に装着した場合には指の発汗など蒸れないなどの仕組みが重要であり、且つ既存の筆記具に使用可能とする。
【課題を解決するための手段】
【０００７】
本発明は、素材の持つ性質を活用した器具であり、概器具を筆記具と筆記具を持つ手の指の間に留めた状態で筆記時において、筆記具と筆記具を持つ手の指の圧力により、概器具を所定位置に留めることが可能であり、概器具と筆記具を持つ手の指の接触する面積を大きく、且つ筆記具と筆記具を持つ手の指の圧力を分散することが出来る材質及び形状を備えることにより、筆記具を持つ手の指の接触面となる皮膚が硬化する傷害を阻止することを最も主要な特徴とする。
【発明の効果】
【０００８】
本発明の器具は、筆記具に装着することも無く、また筆記具を持つ手の指に装着することも無く、また筆記時において筆記具を持つ時に発生する圧力により、筆記具と筆記具を持つ手の指の間に概器具を保持でき、しかも指の皮膚面では圧力が分散し、且つ、擦れあうことも無く筆記作業が可能となり、ペンだこなどの皮膚を硬化する障害を防止できる利点がある。
【発明を実施するための最良の形態】
【０００９】
請求項1の形態は合成高分子樹脂素材の単一素材で形成された板状であり、直径１０ミリ以上５０ミリ以内で板厚１ミリ以上１０ミリ以内の略円板状で実現した。
【００１０】
請求項２の形態は合成高分子樹脂素材を指側に、筆記具側には異質の素材で複数積層構造とした板状であり、直径１０ミリ以上５０ミリ以内で板厚１ミリ以上１０ミリ以内の略円板状で実現した。
【００１１】
請求項３の形態は指側と筆記具側との素材の略中間に、それぞれの素材の形状の変化をそれぞれの素材に影響を及ぼさない目的で芯材を設けた構造とした板状であり、直径１０ミリ以上５０ミリ以内で板厚１ミリ以上１０ミリ以内の略円板状で実現した。
【００１２】
請求項４の形態は筆記具側の接触面に概器具が筆記具に対する位置関係を保持しやすくする目的で溝状の加工面を設けた板状であり、直径１０ミリ以上５０ミリ以内で板厚１ミリ以上１０ミリ以内の略円板状で実現した。
【００１３】
請求項５の形態は筆記具側の接触面に概器具が筆記具に対する位置関係を保持しやすくする目的で粗面状の加工面を設けた板状であり、直径１０ミリ以上５０ミリ以内で板厚１ミリ以上１０ミリ以内の略円板状で実現した。
【００１４】
請求項６の形態は筆記具側の接触面に概器具が筆記具に対する位置関係を保持しやすくする目的で粘着性の加工面を設けた板状であり、直径１０ミリ以上５０ミリ以内で板厚１ミリ以上１０ミリ以内の略円板状で実現した。
【実施例１】
【００１５】
図１は、請求項1の正面上視図であり、略円板状をした持つ手の指側と筆記具の間に保持しながら筆記する器具である。
【実施例２】
【００１６】
図２は、請求項２の正面上視図であり、略円板状で複数の素材を積層にした構造を持ち、持つ手の指側と筆記具側の素材を異質にすることで、柔軟性と強固性を併せ持つことを実現した器具である。
【実施例３】
【００１７】
図３は、請求項３の正面上視図であり、略円板状で複数の素材を積層にした構造の略中心部に、芯材として強固な素材を採用することで、持つ手の指側と筆記具側の双方に柔軟性のある素材を採用できることで、指及び筆記具に密着性の高い器具である。
【実施例４】
【００１８】
図４は、請求項４の正面上視図であり、略円板状をした形状の筆記具側の面に少なくとも１箇所以上の溝を設けることで、筆記具に接する位置を特定し外れにくい構造となる器具である。
【実施例５】
【００１９】
図５は、請求項５の正面上視図であり、略円板状をした形状の筆記具側の面に租面状態の加工を設けることで、筆記具に接する位置を特定し外れにくい構造となる器具である。
【実施例６】
【００２０】
図６は、請求項６の正面上視図であり、略円板状をした形状の筆記具側の面に接着性の加工を設けることで、筆記具に接する位置を特定し外れにくい構造となる器具である。
【産業上の利用可能性】
【００２１】
筆記時において、筆記具を持つ手の指が筆記具を持つ圧力と筆記具と指の干渉による皮膚が硬化する傷害(ペンだこ)を阻止する重要な役割を持ち、ペンだこのような皮膚を硬化し変形した指は、マイナスのイメージである場合が多くあり、職業上や美的の上で不可欠な用途にも適用でき、また、略円板状に限らない形状の変化により、アクセサリとしての利用が可能である。
【図面の簡単な説明】
【００２２】
【図１】請求項１の正面上視図であり、上下面ともに同一形状である。
【図２】請求項２の正面上視図であり、１面が筆記具側で他の１面が筆記具を持つ指側である。
【図３】請求項３の正面上視図であり、中心部に芯材を挟み１面が筆記具側で他の１面が筆記具を持つ指側である。
【図４】請求項４の正面上視図であり、筆記具に接する面に１箇所以上の溝を設けたもので溝の形状は半円状でも良い。
【図５】請求項５の正面上視図であり、筆記具に接する面を粗く加工したものである。
【図６】請求項６の正面上視図であり、筆記具に接する面を粘着性に加工したものである。
【符号の説明】
【００２３】
１  単一素材で形成した器具。
２  複数素材を積層に使用した場合の筆記具側
３  複数素材を積層に使用した場合の筆記具を持つ手の指側
４  素材の中心付近に芯材を備える場合の筆記具側
５  素材の中心付近に芯材を備える場合の芯材
６  素材の中心付近に芯材を備える場合の持つ手の指側
７  筆記具側に溝状を備える場合の器具
８  筆記具側の表面に租面状を備える場合の器具
９  筆記具側の表面に粘着性の加工面を備える場合の器具
【図１】
2006231726.tif 000003
【図２】
2006231726.tif 000004
【図３】
2006231726.tif 000005
【図４】
2006231726.tif 000006
【図５】
2006231726.tif 000007
【図６】
2006231726.tif 000008